(57)【特許請求の範囲】
【請求項１】
丸みのある断面と少なくとも部分的に導電性である外壁とを備えた対象の表面処理を行なうための装置であって、
複数の処理局と、
処理すべき対象を保持するための保持装置を備えている送り装置とを有しており、前記送り装置はそれぞれの保持装置によって保持されている対象をある処理局から後続の処理局へと規則的に運搬するよう構成されている、対象の表面処理を行なうための装置において、
前記複数の処理局の内の一つが検査局であり、該検査局は電圧源と、該電圧源と接続されている電極と、評価ユニットとを有しており、
前記検査局は、前記電極と前記検査局にあるそれぞれの対象との間隔を調整するための手段を有しており、
該評価ユニットは、前記電極と前記検査局にあるそれぞれの対象との間の電圧変化を検出するよう構成されており、
前記対象は飲料缶であり、
前記電極は複数の櫛先端部を備えた櫛状電極として構成されており、
隣接する二つの櫛先端部の間隔は１ｍｍ未満であり、
前記櫛状電極は前記飲料缶の長さ又は高さに適合されており、前記飲料缶の外壁全てが該飲料缶の回転によって検査される、
ことを特徴とする、装置。
【請求項２】
前記電極と前記検査局にあるそれぞれの対象との間の誘電体として空気が使用される、請求項１に記載の装置。
【請求項３】
前記検査局は他の前記処理局の前に設けられており、前記対象が当該他の処理局において処理される前に、前記対象の外壁の表面における不均一性を検出する、請求項１又は２に記載の装置。
【請求項４】
前記電圧源は直流電圧源である、請求項１乃至３のいずれか一項に記載の装置。
【請求項５】
前記電圧源は高圧直流電圧源である、請求項４に記載の装置。
【請求項６】
前記検査局は、前記電極と前記検査局にあるそれぞれの対象とが接触する必要なく、前記電極と前記検査局にあるそれぞれの対象との間の電圧変化を検出するよう構成されている、請求項１乃至５のいずれか一項に記載の装置。
【請求項７】
前記保持装置は、該保持装置によって保持されているそれぞれの対象が前記検査局にある場合には、該対象が接地されているように構成されている、請求項１乃至６のいずれか一項に記載の装置。
【請求項８】
隣接する二つの櫛先端部の間隔は０．５ｍｍ未満である、請求項１乃至７のいずれか一項に記載の装置。
【請求項９】
丸みのある断面と少なくとも部分的に導電性である外壁とを備えた対象の表面処理を行なう装置のための検査局において、
該検査局は、電圧源と、該電圧源と接続されている電極と、評価ユニットとを有しており、該評価ユニットは前記電極と前記検査局にあるそれぞれの対象との間の電圧変化を検出するよう構成されており、
前記対象は飲料缶であり、
前記電極は複数の櫛先端部を備えた櫛状電極として構成されており、
隣接する二つの櫛先端部の間隔は１ｍｍ未満であり、
前記櫛状電極は前記飲料缶の長さ又は高さに適合されており、前記飲料缶の外壁全てが該飲料缶の回転によって検査される、
ことを特徴とする、検査局。
【請求項１０】
丸みのある断面と少なくとも部分的に導電性である外壁とを備えた対象の表面処理を行なうための装置における、請求項９に記載の検査局の使用方法。
【請求項１１】
請求項１乃至８のいずれか一項に記載の装置における、請求項９に記載の検査局の使用方法。
【請求項１２】
丸みのある断面と少なくとも部分的に導電性である外壁とを備えた対象の表面処理を行なう方法であって、
処理すべき対象を送り装置の保持装置に一時的に配置するステップと、
それぞれの保持装置によって保持されている対象を前記送り装置によってある処理局から後続の処理局へと規則的に運搬するステップとを備えている方法において、
さらに、
電極と、検査局として構成されている処理局にあるそれぞれの対象との間に電圧を形成するステップと、
前記電極と前記検査局にあるそれぞれの対象との間隔を調整するステップと、
前記電極と、検査局として構成されている処理局にあるそれぞれの対象との間の電圧変化を検出するステップとを備えており、
前記対象は飲料缶であり、
前記電極は複数の櫛先端部を備えた櫛状電極として構成されており、
隣接する二つの櫛先端部の間隔は１ｍｍ未満であり、
前記櫛状電極は前記飲料缶の長さ又は高さに適合されており、前記飲料缶の外壁全てが該飲料缶の回転によって検査される、
ことを特徴とする、方法。
【請求項１３】
前記電極と前記検査局にあるそれぞれの対象との間の誘電体として空気を使用するステップを備えている、請求項１２に記載の方法。
【請求項１４】
前記検査局は他の前記処理局の前に設けられており、前記対象が当該他の処理局において処理される前に、前記対象の外壁の表面における不均一性を検出する、請求項１２または１３に記載の方法。
【請求項１５】
形成される前記電圧は直流電圧である、請求項１２乃至１４のいずれか一項に記載の方法。
【請求項１６】
形成される前記電圧は高圧直流電圧である、請求項１５に記載の方法。
【請求項１７】
前記電極と前記検査局にあるそれぞれの対象とを接触させる必要なく、前記電極と前記検査局にあるそれぞれの対象との間の電圧変化を検出するステップを備えている、請求項１２乃至１５のいずれか一項に記載の方法。
【発明の詳細な説明】
【技術分野】
【０００１】
本発明は、複数の処理局と、処理すべき対象を保持するための保持装置を備えている送り装置とを用いて、丸みのある断面と少なくとも部分的に導電性である外壁とを備えた対象の表面処理を行なうための装置に関する。送り装置は、それぞれの保持装置によって保持されている対象をある処理局から後続の処理局へと規則的に運搬する。
【０００２】
更に本発明は、処理すべき対象を送り装置の保持装置に一時的に配置するステップと、それぞれの保持装置によって保持されている対象を送り装置によってある処理局から後続の処理局へと規則的に運搬するステップとを含む、丸みのある断面と少なくとも部分的に導電性である外壁とを備えた対象の表面処理を行なうための装置並びに、丸みのある断面と少なくとも部分的に導電性である外壁とを備えた対象の表面処理を行なうための方法に関する。
【０００３】
丸みのある断面と少なくとも部分的に導電性である外壁とを備えた対象は、例えば、金属、有利にはアルミニウム又はブリキから成る飲料缶である。有利には、対象は回転対称に構成されており、例えば、閉じられた端部及び開かれた端部を備えている、ワンピースの円筒形の容器として構成されている。有利には、中空の円筒の外壁のみが処理され、閉じられた端部の外面は処理されない。
【０００４】
飲料缶の外壁の表面は通常の場合、飲料缶が充填物で充填される前、且つ、缶の蓋の部分によって飲料缶が密封される前に、冒頭で述べたような表面処理を行なうための装置によって処理される。その種の装置は、複数の処理局が対象の運搬方向に沿って有利には等間隔で配置されている搬送ラインである。対象を保持するための保持装置は、同様に有利には、対象の運搬方向に沿って等間隔で配置されているので、保持装置によって保持されている対象は、それぞれの処理局によって並行して処理され、また、送り装置によってそれぞれの後続の処理局へと規則的に運搬される。対象の外壁の表面と処理局との間には、それぞれ１つの中間空間もしくは隙間が存在しており、そのような中間空間もしくは隙間は例えば、飲料缶の表面処理においては、実施すべき処理に応じて１ｍｍ未満である。
【０００５】
それぞれの対象を処理するための処理局が使用できる時間は、ある処理局から後続の処理局までの所要運搬時間を差し引いた周期時間に対応し、従って制限されている。
【０００６】
処理局において考えられる処理ステップは、例えば対象の印刷、乾燥及び／又は塗装である。それらの処理ステップを実施するために、処理局には相応の工具又は処理コンポーネントが装備されている。それらの工具又はコンポーネントは高価な精密機器であることが多いが、それら精密機器は直ぐに損傷する可能性がある。特に、周期時間が短く、且つ、処理速度が速い場合には、冒頭で述べたような装置では処理局における損傷が繰り返し発生し、これによって不利なことに処理シーケンスが妨害され、また、多数ある処理局の内の一つ又は複数、もしくは装置全体が停止する。このダウンタイムによって、欠陥品が増加した場合、及び／又は、費用の掛かる修理を行なう場合と同程度の高い損失が生じる。
【０００７】
従って本発明の課題は、上述の欠点の内の一つ又は複数を低減又は解消することができる、丸みのある断面と少なくとも部分的に導電性である外壁とを備えた対象の表面処理を行なうための装置と方法を提供することである。
【０００８】
本発明によれば、この課題は、複数の処理局の内の一つが検査局であり、その検査局が電圧源と、電圧源と接続されている電極と、評価ユニットとを有しており、評価ユニットは電極と検査局にあるそれぞれの対象との間の電圧変化を検出するよう構成されていることを特徴とする、冒頭で述べたような装置によって解決される。
【０００９】
本発明が基礎とする着想は、処理局における損傷が、処理すべき対象の外壁の表面又は外部輪郭における不均一性、例えば表面の凸部、凹部又は凹凸部に起因していることである。処理局と対象の外壁の表面との間の隙間が狭いことに起因して、対象の外壁の表面又は外部輪郭における小さい不均一性、例えば１／２ｍｍよりも小さい不均一性が既に処理局の損傷を生じさせる可能性がある。更にこの不均一性によって、必要とされる品質での相応の対象の処理を保証することができない可能性があり、それによって多数の欠陥品が製造されることになる。多数の処理局の内の一つ又は複数が損傷した場合、処理局を修理するためには大抵の場合、装置の動作を中断することが必要となり、これによって修理費用の他にも損失が高まる可能性がある。
【００１０】
例えば、対象をディジタル方式で印刷するための印刷局として構成されている処理局の印刷ヘッドと対象との間隔は約０．６ｍｍ±０．２ｍｍである。対象の外壁の表面における不均一性によって、間隔が部分的に０．３ｍｍを下回る可能性がある。これによって、例えば対象の外壁の表面における凸部が処理局と接触すると、処理局に損傷が生じる可能性がある。更に、対象の外壁の表面と処理局との間隔が過度に小さい場合には、処理結果の品質が低下する可能性がある。例えば、対象の外壁の表面と印刷局の印刷ヘッドとの間隔が０．２５ｍｍを下回る場合には、ディジタル方式の印刷局では非常に質の悪い印刷結果しか得られない。
【００１１】
この欠点は本発明による装置によって回避される。何故ならば、本発明によれば、複数の処理局の内の一つが、対象の外壁の表面又は外部輪郭における不均一性を検出するために使用される検査局だからである。本発明によれば、検査局はこのために電圧源と、この電圧源と接続されている電極と、評価ユニットとを有している。電圧源を介して、検査局にあるそれぞれの対象と、電圧源に接続されている電極との間に電圧が印加される。対象の外壁の表面又は外部輪郭における不均一性によって、電極と対象との間において電圧変化が生じる。本発明によれば、評価ユニットはこの電圧変化を検出するために構成されている。このようにして、検査局と対象の外壁の表面との間の直接的な接触を必要とすることなく、対象の外壁の表面又は外部輪郭における不均一性を迅速且つ確実に求めることができる。
【００１２】
例えばカメラを用いる光学的な検出やレーザスキャナを用いる検出のような、表面の不均一性を検出するための他の考えられる解決手段とは異なり、本発明は、検出を簡単且つ廉価に実現することができ、また大きな手間を要すること無く、装置において限定的にしか提供されていない空間において統合することができるという利点を有している。更に本発明による検査局は、他の考えられる手段とは異なり、利用できる時間が非常に短いものであっても、その時間内での確実な検出を保証することができる。
【００１３】
本発明による装置の更なる利点は、電極と、検査局にあるそれぞれの対象との間の電圧変化を評価ユニットによって検出することによって、対象の性質に関する情報を形成することができ、それらの情報を更なる処理プロセスのために使用することができる。
【００１４】
有利には、評価ユニットは、検出された電圧変化を評価して、対象の外壁の表面又は外部輪郭における不均一性の種類及び／又は範囲を推量することができるように構成される。
【００１５】
有利には、５００μｍを下回る凸状の成長部を有する、対象の外壁の表面における不均一性を検出できるように検査局は較正されている。更に有利には、電圧変化を検出するための時間、従って表面の不均一性を検出するための時間は１μｓを下回る。
【００１６】
有利には、電極が長手方向において、その長手方向において検査局にあるそれぞれの対象と同じ長さを有している。このようにして、対象をその長さ全体にわたり外壁の表面における不均一性に関して検査できることを保証することができる。処理すべき対象としての所定の飲料缶は、１６０ｍｍの長さ乃至高さを有することができるので、飲料缶の総長乃至総高を検出するための相応の長さの電極も有利である。
【００１７】
更に有利には、電極の輪郭が、処理すべき対象の輪郭に適合されているか、又は、電極の輪郭を処理すべき対象の輪郭に適合させることができる。このようにして、異なる形状の対象を検査局によって検査することができる。
【００１８】
有利には、検査局が一つ又は複数の処理局の手前に設けられているので、対象が別の処理局において処理される前に、対象の外壁の表面における不均一性を検出することができる。このようにして有利には、特に、対象の外壁の表面と処理局との間隔よりも大きい湾曲部又は凸部を対象の外壁の表面が有している場合には、更なる処理を停止することができる、及び／又は、不均一性を有する対象を取り除くことができる。特に有利には、複数の処理局の内の一つが印刷局であり、この印刷局は、送り装置の運搬方向において検査局の後段に設けられており、且つ、印刷局にあるそれぞれの対象の表面に液体塗料でもって印刷を行うよう構成されている。その種の印刷局は高感度の印刷ヘッドを有しており、それらの印刷ヘッドは印刷局にあるそれぞれの対象の外壁の表面の上方において非常に小さい間隔をおいて設けられている。対象の外壁の表面における不均一性は印刷局において大きな損害をもたらす可能性があり、また粗悪な印刷結果を生じさせる可能性があるので、本発明による検査局を印刷局の手前に設けることは非常に有利である。
【００１９】
有利には、電極と、検査局にあるそれぞれの対象との間の電圧変化が検出された場合、及び／又は、電極と検査局にあるそれぞれの対象との間において検出された電圧変化が所定の限界値を上回ったか、又は下回った場合、信号を生成するように評価ユニットは構成されている。
【００２０】
電圧変化が発生した際、もしくは、検出された電圧変化が所定の限界値又は限界値範囲から偏差した際に評価ユニットによって信号を生成することによって、有利には、この信号を特に装置の制御において更に使用することができる。例えば、装置を停止し、対象の更なる処理を中断して、外壁の表面における不均一性を有する対象によって処理局が損傷することを回避するために信号を使用することができる。
【００２１】
更に有利には、検査局において、電極と対象との間の電圧変化が検出された場合、及び／又は、検査局において検出された電極と対象との間の電圧変化が所定の限界値を上回ったか、又は下回った場合、処理すべき対象をそれぞれの保持装置から除去するように装置は構成されている。
【００２２】
上回るべきではない、又は下回るべきではない所定の限界値、又は維持されるべき限界値範囲は、有利には、危機的ではない不均一性では信号が生成されないが、又は、対象が除去されないが、しかしながら危機的な不均一性では、即ち、損傷又は品質の低下を生じさせる可能性がある不均一性では信号が生成されるように選定されている。
【００２３】
電圧変化を検出した際、及び／又は、検出された電圧変化が所定の限界値又は限界値範囲から偏差した際の特に有利な措置は、電圧変化を惹起したそれぞれの対象を保持装置から除去することである。このことは、有利には、圧縮空気を用いて保持装置から対象を弾き飛ばすことによって行なうことができる。本発明のように、外壁の表面における不均一性を有する対象を取り除くことは、装置による対象の処理を中断する必要がなく、それと同時に、外壁の表面における不均一性を有する対象によって装置が損傷することを回避できるという利点を有している。このようにして、装置の動作の中断に起因するダウンタイム、またそれに伴うコストの上昇（処理局の損傷に起因するものも、外壁の表面における不均一性を有する対象の検出によって開始される動作の停止に起因するものも含めて）を阻止することができる。
【００２４】
特に有利には、電極と検査局にあるそれぞれの対象との間の誘電体として空気が使用される。このようにして、検査局にその他の誘電体、例えば液体電解質の準備を省略することができる。
【００２５】
更に有利には、検査局が、電極と検査局にあるそれぞれの対象との間隔を調整するための手段を有している。それぞれの対象の外壁の表面と電極との間隔を変更することによって検査局を種々の対象に適合させることができ、また、検査局は対象の外壁の表面における無害な不均一性、特に非常に小さい不均一性を無視することができる。飲料缶を検査する場合には、電極と飲料缶の外壁の表面との間隔を約３００μｍに調整することができる。電極は有利には対象の輪郭に適合されており、対象と電極との間隔は有利には一定である。
【００２６】
有利には、電圧源は直流電圧源であり、更に有利には、高圧直流電圧源である。有利には、約２００Ｖから８００Ｖの直流電圧である調整可能な高電圧が電極に印加される。更に有利には、安全性の理由から可能な限り僅かな漏れ電流、有利にはマイクロアンペアの範囲の漏れ電流しか生じないようにするために電圧源が高抵抗に構成されている。
【００２７】
対象の外壁の表面における不均一性、例えば凸部、湾曲部又は凹部によって、電極と対象との間隔が変化し、その結果、対象と電極との間に光アークが形成され、また短絡が生じるので、電極と対象との間において放電、特にフラッシオーバが発生する。対象の外壁が均一な表面である場合には実質的に一定である、印加される高電圧を連続的に測定することによって、表面の不均一性に起因する放電による電圧変化を識別することができる。有利には、対象と電極の間隔を適切に選択することによって、また高電圧を適切に選択することによって、限界、特に限界値を規定することができ、その限界又は限界を上回るか、又は下回ると、対象の外壁の表面における不均一性が検出される。
【００２８】
更に有利には、検査局が、電極と検査局にあるそれぞれの対象とが接触する必要なく、電極と検査局にあるそれぞれの対象との間の電圧変化を検出するよう構成されている。これによって、電極と検査局にあるそれぞれの対象との間隔よりも大きい、対象の外壁の表面における不均一性のみが検出されるだけではなく、またそれと共に接触式の検出が行なわれるだけではなく、電極と検査局にあるそれぞれの対象との間隔よりも小さい、対象の外壁の表面における不均一性も検出することができ、したがってこの間隔を狭めることができ、且つ、非接触式に検出することもできる。このようにして、対象の外壁の表面における種々の不均一性をより正確に検出することができる。したがって、電極と検査局にあるそれぞれの対象との間の電圧変化の接触式の検出も非接触式の検出も実現することができる。
【００２９】
有利には、保持装置は、この保持装置によって保持されているそれぞれの対象が検査局にある場合には、その対象が接地されているように構成されている。
【００３０】
有利には、電極が複数の櫛先端部を備えた櫛状電極として構成されており、有利には隣接する二つの櫛先端部の間隔は１ｍｍ未満、特に約０．５ｍｍ未満である。有利には対象と対向している電極の先端に電界を集中させるために、櫛としての電極の構成は特に有利である。ここでもまた櫛としての電極の構成は、櫛電極と対象との間では櫛の先端部において比較的高い電位が生じ、間隔の変化を比較的容易に識別できるという利点を有している。
【００３１】
有利には、保持装置が、保持しているそれぞれの対象をそれぞれの回転軸について回転させるように構成されている。特に回転対称形の対象である場合、有利には、それらの対象がそれぞれの保持装置において回転されるので、処理局を固定的に構成することができ、同時に回転対称の対象の外面全てを処理することができる。飲料缶では処理又は検査すべき表面が飲料缶の長さ又は高さであり、その長さは周囲長の数倍である。有利には飲料缶の長さ又は高さに適合されている電極では、有利には、飲料缶の外壁全てを飲料缶の回転によって検査することができる。それぞれの保持装置における対象の回転速度は約３００Ｕ／ｍｉｎである。特にそのような高速な回転速度では、有利には、本発明による検査装置が、３００Ｕ／ｍｉｎでは１μｓよりも短い非常に短い検出時間で動作する。
【００３２】
本発明の別の態様は、丸みのある断面と少なくとも部分的に導電性である外壁とを備えた対象の表面処理を行なう装置のための検査局であり、この検査局は、電圧源と、この電圧源と接続されている電極と、評価ユニットとを有しており、評価ユニットは電極と検査局にあるそれぞれの対象との間の電圧変化を検出するよう構成されていることを特徴としている。有利には、前述したように検査局の構成に関連させて説明した特徴又はそれら特徴の組み合わせを有するように検査局を構成することができる。
【００３３】
本発明による検査局及びその発展形態は、特に、丸みのある断面と少なくとも部分的に導電性である外壁とを備えた対象の表面処理を行なうための装置、特に、前述の装置及びその実施の発展形態への使用に適している。
【００３４】
本発明の別の態様は、電極と、検査局として構成されている処理局にあるそれぞれの対象との間に電圧を形成するステップと、電極と、検査局として構成されている処理局にあるそれぞれの対象との間の電圧変化を検出するステップとを有する、冒頭で述べたような、丸みのある断面と少なくとも部分的に導電性である外壁とを備えた対象の表面処理を行なうための方法である。
【００３５】
本発明による方法を、電極と検査局にあるそれぞれの対象との間の誘電体として空気を使用するステップによって更に発展させることができる。
【００３６】
本発明による方法を、電極と、検査局にあるそれぞれの対象との間の電圧変化が検出された場合、及び／又は、電極と、検査局にあるそれぞれの対象との間において検出された電圧変化が所定の限界値を上回ったか、又は下回った場合、信号を生成するステップによって更に発展させることができる。
【００３７】
本発明による方法を、検査局において、電極と対象との間の電圧変化が検出された場合、及び／又は、検査局において検出された電極と対象との間の電圧変化が所定の限界値を上回ったか、又は下回った場合、処理すべき対象をそれぞれの保持装置から除去するステップによって更に発展させることができる。
【００３８】
本発明による方法を、電極と検査局にあるそれぞれの対象との間隔を調整するステップによって更に発展させることができる。
【００３９】
本発明による方法を、形成される電圧が直流電圧、有利には高圧直流電圧であることによって更に発展させることができる。
【００４０】
本発明による方法を、検査局にあるそれぞれの対象を接地するステップによって更に発展させることができる。
【００４１】
本発明による方法を、保持されている対象を回転軸について回転させるステップによって更に発展させることができる。本発明による方法を、電極と検査局にあるそれぞれの対象とを接触させる必要なく、電極と検査局にあるそれぞれの対象との間の電圧変化を検出するステップによって更に発展させることができる。
【００４２】
本発明のそれら別の態様の利点、実施の形態の変形形態及び詳細並びに発展形態は、本発明の対応する別の態様に関連している、本発明による装置の前述の相応の態様にも適用される。
【００４３】
本発明の有利な実施の形態を添付の図面に基づき例示的に説明する。
【図面の簡単な説明】
【００４４】
【図１】本発明による検査局の実施の形態及び飲料缶の概略図を示す。
【図２】飲料缶を備えた、本発明による検査局の実施の形態の側面図を示す。
【図３】図２に示した実施の形態の飲料缶を備えていない状態の立体図を示す。
【図４ａ】図２及び図３に示した実施の形態の電極を示す。
【図４ｂ】図４ａに示した電極の部分拡大図を示す。
【図５】図２及び図３に示した実施の形態の別の立体図を示す。
【図６】図２、図３及び図５に示した実施の形態の側面図を示す。
【図７】図２、図３、図５及び図６に示した実施の形態の背面図を示す。
【発明を実施するための形態】
【００４５】
図１には、飲料缶２００の表面の不均一性を検出するための検査局１００が電極１１０を有しており、この電極１１０が飲料缶２００に対して間隔を空けて配置されており、且つ、直流電圧源１２０並びに評価ユニット１３０と接続されていることが示されている。直流電圧源１２０は有利には約８００Ｖの高電圧を供給する。缶２００は接地されている。電極１１０と飲料缶２００との間には誘電体として空気が存在している。本発明によれば、直流電圧源１２０を用いて電極１１０と飲料缶２００との間に電界が形成されており、これによって飲料缶２００の外壁の表面において不均一が生じている場合には電圧変化を評価ユニット１３０によって検出することができ、これによって表面の不均一を識別することができる。評価ユニット１３０は電極１１０に印加される高電圧を継続的に測定し、この電圧における偏差を確認する。
【００４６】
図２，３及び５から７から見て取れるように、電極１１０は絶縁体１４０上に取り付けられており、この絶縁体１４０はやはり保持部１６０ａ，１６０ｂに支持されている。保持部１６０ａ，１６０ｂは、電極１１０と飲料缶２００との間隔を調整するための手段１５０ａ，１５０ｂ、例えばダイヤルゲージを有している。このようにして、飲料缶２００からの電極１１０の間隔を、必要とされる周辺条件について正確に調整することができる。電極１１０と飲料缶２００との間隔は有利には約３００μｍである。
【００４７】
缶２００は有利には回転可能に支持されており、この場合、回転速度は有利には３００Ｕ／ｍｉｎである。
【００４８】
飲料缶２００と測定電極１１０との間隔が、飲料缶２００の外壁の表面の不均一性、例えば凸部によって狭められる場合、電極１１０と飲料缶２００との間に放電又はフラッシオーバが生じ、これによって電圧降下が発生する。この電圧降下が評価ユニットによって検出される。間隔が変化することによって、電極１１０と飲料缶２００との間隔よりも小さい不均一性も検出することができる。即ち、非接触式の検出も実現される。有利には、評価ユニットが信号を用いてこの電圧変化を上位の制御部、有利にはプログラマブルロジックコントローラ（ＬＰＣ）に伝送する。相応の信号が生成されるべき電圧降下の大きさを有利には調整することができる。装置の上位の制御部は、相応の電圧降下が発生した場合に、例えば電圧降下を惹起した対象の除去又は装置の動作の中断を指示する。表面の不均一を検出するための時間は有利には約１μｓ以下である。
【００４９】
表面の不均一を有する対象、特に飲料缶２００の除去は、有利には、圧縮空気を用いて保持部から飲料缶２００を弾き飛ばすことによって行なわれる。
【００５０】
図４ａ及び４ｂから見て取れるように、電極１１０は有利には、複数の櫛先端部１１１を備えた櫛状電極として構成されている。櫛先端部１１１は相互に約０．５ｍｍの間隔を置いて配置されている。櫛状電極の先端と缶との間には比較的高い電位が生じており、また間隔の変化を比較的容易に識別することができるので、櫛状電極は非常に有利である。電極１１０は、検査局、特に絶縁体１４０に電極を固定するための固定手段１１２を有している。電極１１０は、その長手方向における拡張部において、飲料缶２００の長手方向の拡張部に実質的に対応しており、このことは図１に概略的に示されている。
【００５１】
更に有利には、電極１１０の輪郭が飲料缶２００の輪郭又は他の対象の輪郭に適合されているか、又は、電極１１０の輪郭を飲料缶２００の輪郭又は他の対象の輪郭に適合させることができるので、形状が異なる種々の対象を検査局によって検査することができる。
【図１】
0005946405.tif 000002
【図２】
0005946405.tif 000003
【図３】
0005946405.tif 000004
【図４ａ】
0005946405.tif 000005
【図４ｂ】
0005946405.tif 000006
【図５】
0005946405.tif 000007
【図６】
0005946405.tif 000008
【図７】
0005946405.tif 000009